(57)【要約】【課題】清掃対象物の繊維を掘り起こして、清掃対象物の繊維などに絡みついたゴミを、粘着テープにより容易に捕集することができるようにする。【解決手段】片面が粘着面である帯状の粘着材をロール状に巻き回されて形成された円筒形状の粘着テープに対して、上記円筒形状の内径側と外径側とを貫通するよう複数の孔を穿設した粘着テープロールと、上記粘着テープロールを回転可能に保持する軸心部に連結された把持部と、略円筒形状体に植毛されたブラシとを有し、上記ブラシは上記粘着テープロールと上記把持部の円筒形状体との間に挿入され、上記複数の孔より上記ブラシの毛が突出するようにした。【選択図】        図１
2015156987.tif 000002
【特許請求の範囲】
【請求項１】
片面が粘着面である帯状の粘着材をロール状に巻き回されて形成された円筒形状の粘着テープに対して、前記円筒形状の内径側と外径側とを貫通するよう複数の孔を穿設した粘着テープロールと、
前記粘着テープロールを回転可能に保持する軸心部に連結された把持部と、
略円筒形状体に植毛されたブラシと
を有し、
前記ブラシは前記粘着テープロールと前記把持部の軸心部との間に挿入され、前記複数の孔より前記ブラシの毛が突出している
ことを特徴とする掃除具。
【請求項２】
片面が粘着面である帯状の粘着材をロール状に巻き回されて形成された円筒形状の粘着テープに対して、前記円筒形状の内径側と外径側とを貫通するよう複数の孔を穿設した粘着テープロールと、
前記粘着テープロールを回転可能に保持する軸心部に連結された把持部と、
略円筒形状体に弾性材料よりなる突起を配列したブレードと
を有し、
前記ブレードは前記粘着テープロールと前記把持部の軸心部との間に挿入され、前記複数の孔より前記突起が突出している
ことを特徴とする掃除具。
【請求項３】
片面が粘着面である帯状の粘着材をロール状に巻き回されて形成された円筒形状の粘着テープに対して、前記円筒形状の内径側と外径側とを貫通し、前記円筒形状の軸心方向に延設された複数の切り欠き部を穿設した粘着テープロールと、
前記粘着テープロールを回転可能に保持する軸心部に連結された把持部と、
略円筒形状体に植毛されたブラシと
を有し、
前記ブラシは前記粘着テープロールと前記把持部の軸心部との間に挿入され、前記複数の切り欠き部より前記ブラシの毛が突出している
ことを特徴とする掃除具。
【請求項４】
片面が粘着面である帯状の粘着材をロール状に巻き回されて形成された円筒形状の粘着テープに対して、前記円筒形状の内径側と外径側とを貫通し、前記円筒形状の軸心方向に延設された複数の切り欠き部を穿設した粘着テープロールと、
前記粘着テープロールを回転可能に保持する軸心部に連結された把持部と、
略円筒形状体に弾性材料よりなる突起を配列したブレードと
を有し、
前記ブラシは前記粘着テープロールと前記把持部の軸心部との間に挿入され、前記複数の切り欠き部より前記突起が突出している
ことを特徴とする掃除具。
【請求項５】
請求項１または３のいずれか１項に記載の掃除具において、
前記ブラシは、前記略円筒形状体の全面に植毛されている
ことを特徴とする掃除具。
【請求項６】
請求項２または４のいずれか１項に記載の掃除具において、
前記突起は、ピン状体である
ことを特徴とする掃除具。
【発明の詳細な説明】
【技術分野】
【０００１】
本発明は、掃除具に関し、さらに詳細には、ロール状に巻き回されて形成された粘着テープを用いて清掃対象物のゴミを取り除くための掃除具に関する。
【背景技術】
【０００２】
従来より、片面を粘着面とした帯状の粘着材をロール状に巻き回されて形成された円筒形状の粘着テープの中心部に、把持部と連結した軸心部を挿入して使用する掃除具が知られている。
【０００３】
こうした掃除具は、衣類や絨毯といった清掃対象物の表面に付着している髪の毛、ペットの毛、糸くずなどのゴミを取り除くものであり、清掃対象物の表面に粘着テープの粘着面を押しつけながら転がすことにより清掃対象物のゴミを捕集するものである。
【０００４】
しかしながら、清掃対象物の表面に対して粘着テープを押しつけながら転がすため、押しつける際に力が加わりすぎるとゴミが清掃対象物へ押しつけられてゴミが捕集されにくくなったり、清掃対象物の繊維に絡みついているゴミは捕集できずにそのまま繊維に残り、表面についているゴミの一部しか捕集できないおそれがあるという問題点があった。
【０００５】
なお、本願出願人が特許出願のときに知っている先行技術は、文献公知発明に係る発明ではないため、本願明細書に記載すべき先行技術文献情報はない。
【発明の概要】
【発明が解決しようとする課題】
【０００６】
本発明は、従来の技術の有する上記したような問題点に鑑みてなされたものであり、その目的とするところは、清掃対象物の繊維を掘り起こして、清掃対象物の繊維などに絡みついたゴミを、粘着テープにより容易に捕集することを可能にする掃除具を提供しようとするものである。
【課題を解決するための手段】
【０００７】
上記目的を達成するために、本発明は、片面が粘着面である帯状の粘着材をロール状に巻き回されて形成された円筒形状の粘着テープに対して、上記円筒形状の内径側と外径側とを貫通するよう複数の孔を穿設した粘着テープロールと、上記粘着テープロールを回転可能に保持する軸心部に連結された把持部と、略円筒形状体に植毛されたブラシとを有し、上記ブラシは上記粘着テープロールと上記把持部の軸心部との間に挿入され、上記複数の孔より上記ブラシの毛が突出するようにしたものである。
【０００８】
また、本発明は、片面が粘着面である帯状の粘着材をロール状に巻き回されて形成された円筒形状の粘着テープに対して、上記円筒形状の内径側と外径側とを貫通するよう複数の孔を穿設した粘着テープロールと、上記粘着テープロールを回転可能に保持する軸心部に連結された把持部と、略円筒形状体に弾性材料よりなる突起を配列したブレードとを有し、上記ブレードは上記粘着テープロールと上記把持部の軸心部との間に挿入され、上記複数の孔より上記突起が突出するようにしたものである。
【０００９】
また、本発明は、片面が粘着面である帯状の粘着材をロール状に巻き回されて形成された円筒形状の粘着テープに対して、上記円筒形状の内径側と外径側とを貫通し、上記円筒形状の軸心方向に延設された複数の切り欠き部を穿設した粘着テープロールと、上記粘着テープロールを回転可能に保持する軸心部に連結された把持部と、略円筒形状体に植毛されたブラシとを有し、上記ブラシは上記粘着テープロールと上記把持部の軸心部との間に挿入され、上記複数の切り欠き部より上記ブラシの毛が突出するようにしたものである。
【００１０】
また、本発明は、片面が粘着面である帯状の粘着材をロール状に巻き回されて形成された円筒形状の粘着テープに対して、上記円筒形状の内径側と外径側とを貫通し、上記円筒形状の軸心方向に延設された複数の切り欠き部を穿設した粘着テープロールと、上記粘着テープロールを回転可能に保持する軸心部に連結された把持部と、略円筒形状体に弾性材料よりなる突起を配列したブレードとを有し、上記ブラシは上記粘着テープロールと上記把持部の軸心部との間に挿入され、上記複数の切り欠き部より上記突起が突出するようにしたものである。
【００１１】
また、本発明は、上記した発明において、上記ブラシは、上記略円筒形状体の全面に植毛するようにしたものである。
【００１２】
また、本発明は、上記した発明において、上記突起は、ピン状体であるようにしたものである。
【発明の効果】
【００１３】
本発明は、以上説明したように構成されているので、清掃対象物の繊維を掘り起こして、清掃対象物の繊維などに絡みついたゴミを、粘着テープにより容易に捕集することが可能になるという優れた効果を奏する。
【図面の簡単な説明】
【００１４】
【図１】図１は、本発明による掃除具の第１の実施の形態を示す概略構成斜視説明図である。
【図２】図２（ａ）は、第１の実施の形態による掃除具の概略構成正面説明図であり、図２（ｂ）は、図２（ａ）のＡ矢視説明図であり、図２（ｃ）は、図２（ａ）のＢ矢視説明図である。
【図３】図３（ａ）は、第１の実施の形態による掃除具に用いる粘着テープロールの図２（ａ）に示すＩＩＩ−ＩＩＩ線による概略構成断面説明図であり、図３（ｂ）は、図３（ａ）に示す粘着テープロールの概略正面説明図であり、図３（ｃ）は、第１の実施の形態による掃除具に用いるブラシの図２（ａ）に示すＩＩＩ−ＩＩＩ線による概略構成断面説明図であり、図３（ｄ）は、図３（ｃ）に示すブラシの図２（ａ）に示すＩＩＩＤ−ＩＩＩＤ線による概略構成一部断面正面説明図である。
【図４】図４（ａ）は、本発明による掃除具の第２の実施の形態を示す概略構成正面説明図であり、図４（ｂ）は、図４（ａ）のＣ矢視説明図であり、図４（ｃ）は、図４（ａ）のＤ矢視説明図である。
【図５】図５（ａ）は、第２の実施の形態による掃除具に用いる粘着テープロールの図４（ａ）に示すＶ−Ｖ線による概略構成断面説明図であり、図５（ｂ）は、図５（ａ）に示す粘着テープロールの概略正面説明図である。
【図６】図６（ａ）は、本発明による掃除具の第３の実施の形態を示す概略構成正面説明図であり、図６（ｂ）は、図６（ａ）のＥ矢視説明図であり、図６（ｃ）は、図６（ａ）のＦ矢視説明図である。
【図７】図７（ａ）は、第３の実施の形態による掃除具の図６（ａ）に示すＶＩＩＡ−ＶＩＩＡ線による概略構成断面説明図であり、図７（ｂ）は、図６（ａ）に示すＶＩＩＢ−ＶＩＩＢ線による概略構成断面説明図である。
【図８】図８（ａ）は、本発明による掃除具の第４の実施の形態を示す概略構成正面説明図であり、図８（ｂ）は、図８（ａ）のＧ矢視説明図であり、図８（ｃ）は、図８（ａ）のＨ矢視説明図である。
【図９】図９（ａ）は、第４の実施の形態による掃除具の図８（ａ）に示すＩＸＡ−ＩＸＡ線による概略構成断面説明図であり、図９（ｂ）は、図８（ａ）に示すＩＸＢ−ＩＸＢ線による概略構成断面説明図である。
【発明を実施するための形態】
【００１５】
以下、添付の図面を参照しながら、本発明による掃除具の実施の形態の一例について詳細に説明するものとする。
【００１６】
図１には、本発明による掃除具の第１の実施の形態を示す概略構成斜視説明図が示されている。この図１に示す掃除具１０は、片面に粘着面である帯状の粘着材をロール状に巻き回されて形成された円筒形状の粘着テープである粘着テープロール１２と、粘着テープロール１２の中心部に挿入されて粘着テープロール１２を回転可能に保持する把持部１４とを有して構成されており、さらに、本発明による掃除具１０は、粘着テープロール１２表面の所定の箇所に複数のブラシ部１８ａが突出するように構成されている。
【００１７】
以下に、図１とともに図２および図３を参照しながら各構成についてより詳細に説明する。
【００１８】
図２（ａ）は、掃除具１０の概略構成正面説明図を示し、図２（ｂ）は、図２（ａ）のＡ矢視説明図を示し、図２（ｃ）は、図２（ａ）のＢ矢視説明図を示している。
【００１９】
また、図３（ａ）は、掃除具１０に用いる粘着テープロール１２の図２（ａ）に示すＩＩＩ−ＩＩＩ線による概略構成断面説明図を示し、図３（ｂ）は、粘着テープロール１２の概略正面説明図を示し、図３（ｃ）は、掃除具１０に用いるブラシ１８の図２（ａ）に示すＩＩＩ−ＩＩＩ線による概略構成断面説明図を示し、図３（ｄ）は、図３（ｃ）に示すブラシ１８の図２（ａ）に示すＩＩＩＤ−ＩＩＩＤ線による概略構成一部断面説明図を示している。
【００２０】
はじめに、本発明による掃除具１０の粘着テープロール１２の構成について説明すると、粘着テープロール１２は、片面が粘着面である帯状の粘着材をロール状に巻き回されて形成された円筒形状体であり、その内部は中空である。粘着テープロール１２の両端部は開放しており、内部に略円柱形状の軸心部１４ａを挿入可能になされている。
【００２１】
そして、上記粘着テープロール１２は、所定の箇所に複数の孔１２ａが穿設されている（図３（ａ）を参照する。）。こうした複数の孔１２ａは、粘着テープロール１２の外径側と内径側とを貫通するように穿設されている。
【００２２】
こうした孔１２ａの穿設方法としては、粘着テープが積層している層を貫通する方法であれば、レーザー照射やプレス加工などの各種方法を用いてよいものである。
【００２３】
本実施の形態においては、直径５ｍｍの孔１２ａをＹ軸（図２（ａ）を参照する。）に沿って１１個配置した列（以下、「Ｌ列」と称する。）を、粘着テープロール１２の円周上を等間隔に４列配列させ、さらに、直径５ｍｍの孔をＹ軸に沿って１０個配置した列（以下、「Ｍ列」と称する。）をＬ列間の中間位置に配置するようにした。
【００２４】
即ち、Ｍ列の１０個の孔は、Ｌ列の各孔間の中間位置に相当するように配置したものであり、図２（ａ）に示されるように、Ｌ列とＭ列とが交互に、かつ、円周上に４５度ごとで等間隔に配列されることになる。
【００２５】
次に、把持部１４は、粘着テープロール１２の中心部に挿入される軸心部１４ａと、使用者が使用の際に把持する把持部１４ｄと、軸心部１４ａの片側の端部のみに接続されて軸心部１４ａと把持部１４ｄとを連結する連結部１４ｃとより構成される。
【００２６】
上記粘着テープロール１２と軸心部１４ａとの間には、円筒形状のブラシ１８が挿入されている。このブラシ１８としては、例えば、略円筒形状の軸１８ｃ（図３（ｄ）を参照する。）にブラシ部１８ａを植毛したものを用いればよい。
【００２７】
ブラシ１８は、軸１８ｃに植毛したブラシ部１８ａと、粘着テープロール１２の中心に挿入された際に粘着テープロール１２のストッパーとなる端部１８ｂとを有して構成されている。上記軸１８ｃの中心部には、把持部１４の軸心部１４ａが挿入されるようになされている。
【００２８】
こうした本実施の形態におけるブラシ部１８ａとしては、例えば、剛毛の豚毛を隙間なく軸１８ｃに植毛するようにした。
【００２９】
豚毛のように表面に凹凸を有する毛は、清掃対象物の繊維を掘り起こして、繊維に絡みついたゴミを掻き出す際に好適である。
【００３０】
また、ブラシ部１８ａの毛の長さは、例えば、１０ｍｍとした。
【００３１】
こうしたブラシ部１８ａの毛の長さとしては、粘着テープが最大量の際に、ブラシ部１８ａが粘着テープロール１２の表面から５ｍｍ程度突出する長さとすることが好ましい。
【００３２】
そして、掃除具１０は、把持部１４に連結された軸心部１４ａを上記ブラシ１８の中心部に挿入して取り付け、さらに上記ブラシ１８を複数の孔１２ａを有する粘着テープロール１２の中心部に挿入して取り付ける。
【００３３】
ブラシ１８は、粘着テープロール１２の直下に粘着テープロール１２に密接して配置するため、粘着テープロール１２に穿設された複数の孔１２ａよりブラシ部１８ａが粘着テープロール１２の表面に突出して、粘着テープロール１２上にブラシ部１８ａが突出して配置される。
【００３４】
上記したように、軸心部１４ａを有する把持部１４と、ブラシ１８と、粘着テープロール１２とを組み合わせることにより、図１および図２（ａ）（ｂ）（ｃ）に示すように粘着テープロール１２の表面にブラシ部１８ａを有する掃除具１０が得られる。
【００３５】
以上の構成において、掃除具１０の粘着テープロール１２を清掃対象物上で回転させることにより、清掃対象物の表面に付着したゴミを容易に取り除くことができる。即ち、例えば、絨毯を清掃対象物とした場合、絨毯表面に掃除具１０の粘着テープロール１２を当接させ押しつけながら転がすことにより、粘着テープロール１２の表面に突出した複数のブラシ部１８ａが絨毯の繊維を掘り起こし、絨毯の繊維に絡みついたゴミを掻き出し、絨毯表面に掻き出されたゴミは粘着テープロール１２表面に捕集され、絨毯表面から取り除かれる。
【００３６】
また、粘着テープロール１２にゴミが付着し粘着力が低下した際には、粘着テープを１層剥がして新たな層を出すことにより、粘着力のある層を得ることができる。
【００３７】
このように、本実施の形態による掃除具１０を用いれば、絨毯などの清掃対象物の繊維を掘り起こして、繊維に絡みついたゴミを粘着テープにより容易に捕集することが可能となる。
【００３８】
次に、図４および図５を参照しながら、本発明による掃除具の第２の実施の形態について説明する。
【００３９】
なお、以下の説明においては、図１乃至図３を参照しながら説明した掃除具１０と同一または相当する構成については、上記において用いた符号と同一の符号を用いて示すことにより、その構成ならびに作用の詳細な説明は適宜に省略することとする。
【００４０】
ここで、図４（ａ）は、本発明による掃除具の第２の実施の形態を示す概念構成説明図を示し、図４（ｂ）は、図４（ａ）のＣ矢視説明図を示し、図４（ｃ）は、図４（ａ）のＤ矢視説明図を示している。
【００４１】
図４（ａ）（ｂ）（ｃ）に示すように、第２の実施の形態による掃除具１００は、粘着テープロール１２０が、Ｙ軸方向に沿った長穴であって、粘着テープロール１２０の外径側と内径側とを貫通するように穿設された切り欠き部１２０ａを複数有する点のみ掃除具１０と異なる。
【００４２】
即ち、第１の実施の形態による掃除具１０において用いる粘着テープロール１２と、第２の実施の形態による掃除具１００において用いる粘着テープロール１２０とは、表面に穿設された孔の形状が異なっており、第２の実施の形態による掃除具１００は、図４（ａ）（ｂ）（ｃ）に示すように、粘着テープロール１２０の表面に、回転軸方向に沿った切り欠き部１２０ａを有する。
【００４３】
そのため、掃除具１００の粘着テープロール１２０の直下に配置されたブラシ１８により形成されるブラシ部の形状と位置が、掃除具１０とは異なるものとなる。
【００４４】
以下に、図５および図６を用いてより詳細に説明する。
【００４５】
図５（ａ）は、掃除具１００に用いる粘着テープロールの図４（ａ）に示すＶ−Ｖ線による概略構成断面説明図を示し、図５（ｂ）は、粘着テープロール１２０の概略正面説明図を示している。
【００４６】
本実施の形態による掃除具１００は、図５（ａ）（ｂ）に示す粘着テープロール１２０を用いて構成される。
【００４７】
上記したように、掃除具１００に用いる粘着テープロール１２０は、掃除具１０において用いた粘着テープロール１２と同様の形状を有するものであるが、掃除具１０が複数の孔１２ａを備えるのに代えて、回転軸方向に沿った切り欠き部１２０ａを複数備えるようにしている。こうした複数の切り欠き部１２０ａは、粘着テープロール１２０の外径側と内径側とを貫通するように穿設される。
【００４８】
こうした切り欠き部１２０ａを穿設する方法としては、粘着テープが積層する層を貫通する方法であれば、レーザー照射やプレス加工などの各種の方法を用いてよいものである。
【００４９】
本実施の形態においては、図５（ｂ）に示すように、粘着テープロール１２０の両端部にそれぞれ１０ｍｍを残してＹ軸（図５（ｂ）を参照する。）に沿って延長された幅４ｍｍの切り欠き部１２０ａを粘着テープロール１２０上の円周上に等間隔に６列配置するようにした（図５（ａ）を参照する。）。
【００５０】
即ち、図４（ｂ）（ｃ）および図５（ａ）に示されるように、６列の切り欠き部１２０ａが等間隔で粘着テープロール１２０の円周上に配列されることになる。
【００５１】
こうした掃除具１００においては、掃除具１０と同様に、粘着テープロール１２０の中心に把持部１４の軸心部１４ａおよびブラシ１８が挿入される。
【００５２】
ブラシ１８が挿入されると、粘着テープロール１２０に形成された複数の切り欠き部１２０ａよりブラシ１８に植毛されたブラシ部１８ａが突出し、図４（ａ）（ｂ）（ｃ）に示すように、粘着テープロール１２０上でブラシ部１８ａが突出して配置された掃除具１００が得られる。
【００５３】
以上の構成において、掃除具１００によれば、掃除具１０と同様に、清掃対象物の表面に付着したゴミを容易に取り除くことができる。
【００５４】
次に、図６および図７を参照しながら、本発明による掃除具の第３の実施の形態について説明する。
【００５５】
なお、以下の説明においては、図１乃至図５を参照しながら説明した掃除具１０や掃除具１００と同一または相当する構成については、上記において用いた符号と同一の符号を用いて示すことにより、その構成ならびに作用の詳細な説明は適宜に省略することとする。
【００５６】
ここで、図６（ａ）は、本発明による掃除具の第３の実施の形態を示す概念構成説明図を示し、図６（ｂ）は、図６（ａ）のＥ矢視説明図を示し、図６（ｃ）は、図６（ａ）のＦ矢視説明図を示している。
【００５７】
図６（ａ）（ｂ）（ｃ）に示すように、第３の実施の形態による掃除具２００は、第２の実施の形態による掃除具１００と比較すると、ブラシ１８の代わりにブレード２８０を用いている点で異なっている。
【００５８】
図７（ａ）（ｂ）を参照しながらブレード２８０について詳細に説明すると、ブレード２８０とは、弾力があり、かつ、表面に抵抗を有する、例えば、樹脂やゴムなどの材料より形成されたピンの集合体である。
【００５９】
こうしたブレード２８０に配列させるピンの長さは、ブラシ１８のブラシ部１８ａの毛と同様に１０ｍｍ程度とした。こうしたブレードの長さは、粘着テープが最大量の際に、粘着テープロール１２０の表面から５ｍｍ程度突出する長さが好ましい。
【００６０】
より詳細には、ブレード２８０は、図７（ｂ）に示すように、複数のピンをＹ軸方向（図７（ｂ）を参照する。）に沿って整列させたものを１列のピン列２８０ａとし、略円柱形状の基部２８０ｂの円周上における粘着テープロール１２０の切り欠き部１２０ａに相当する位置に、それぞれ等間隔にピン列２８０ａを６列を配列して構成されている。
【００６１】
こうしたブレード２８０の各ピン列２８０ａを用いることで、粘着テープロール１２０上の複数の切り欠き部１２０ａよりピン列２８０ａがそれぞれ突出し、図６（ａ）（ｂ）（ｃ）および図７（ａ）（ｂ）に示すように粘着テープロール１２０上でピン列２８０ａが突出形成された掃除具２００が得られる。
【００６２】
なお、各ピンは、基部２８０ｂから先端部へ向けて細径となるように形成された円柱体の先端部に略球形状の先端部材が設けられた形状を備えている。
【００６３】
こうした形状は、清掃対象物の繊維を掘り起こして、繊維に絡みついたゴミを掻き出す際に好適である。
【００６４】
なお、上記掃除具２００は、把持部１４に連結する軸心部１４ａを被覆するようにブレード２８０が挿入され、把持部１４の連結部１４ｃと接続される後面端部２０２に固定される。
【００６５】
さらに、上記ブレード２８０は粘着テープロール１２０に挿入され、上記後面端部２０２が粘着テープロール１２０の端部１２０ｂ内部に嵌合するようになされている。
【００６６】
そして、上記のように構成された掃除具２００は、軸部２０６とブレード２８０と粘着テープロール１２０と把持部１４とが、粘着テープロール１２０の端部１２０ｃ側より前面端部２０４により固定される。
【００６７】
以上の構成において、掃除具２００は、掃除具１０および掃除具１００と同様に、清掃対象物の表面に付着したゴミを容易に取り除くことができる。
【００６８】
次に、図８および図９を参照しながら、本発明による掃除具の第４の実施の形態について説明する。
【００６９】
図８（ａ）は、本発明による掃除具の第４の実施の形態を示す概略構成説明図を示し、図８（ｂ）は、図８（ａ）のＧ矢視説明図を示し、図８（ｃ）は、図８（ａ）のＨ矢視説明図を示す。
【００７０】
この第４の実施の形態による掃除具３００は、掃除具１０と比較して、ブラシ１８の代わりにブレード３８０を用いる点で異なっている。
【００７１】
即ち、掃除具３００は、孔１２ａが穿設されている粘着テープロール１２を用いるものであり、ブレード３８０には、孔１２ａに相当する位置に複数のピン３８０ａがそれぞれ配置されている。
【００７２】
なお、各ピンの構成はブレード２８０と同様である。
【００７３】
即ち、図９（ａ）（ｂ）を参照しながらブレード３８０について詳細に説明すると、ブレード３８０は、ブレード２８０と同様の材料で形成されたピンの集合体である。
【００７４】
こうしたブレード３８０に配列させるピンの長さはブラシ１８のブラシ部１８ａの長さと同様に１０ｍｍ程度とした。こうしたブレードの長さは、粘着テープが最大量の際に粘着テープロールの表面から５ｍｍ程度突出している長さが好ましい。
【００７５】
また、掃除具３００では、上記したように粘着ロールシート１２を用いるため、ブレード３８０は、粘着ロールシート１２が有する孔１２ａと対応する配列で、孔１２ａと同数のピンを有するようにすればよいものである。
【００７６】
そのため、ピン３８０ａをＹ軸（図８（ａ）を参照する。）に沿って１１本配置した列（以下、「Ｌ列」と称する。）をブレード３８０の基部３８０ｂの円周上に等間隔に４列配列させ、ピン３８０ａをＹ軸に沿って１０本配置した列（以下、「Ｍ列」称する。）をブレード３８０の基部３８０ｂの円周上でＬ列間の中間位置に配置するようにした。
【００７７】
即ち、Ｍ列の１０本のピンは、Ｌ列の各ピン間の中間位置に相当するように配置したものであり、図８（ａ）に示されるように、Ｌ列とＭ列とが交互に、かつ、円周上に４５度ごとで等間隔に配列されることになる。
【００７８】
こうしたブレード３８０のピン３８０ａは、粘着テープロール１２上の複数の孔１２ａよりピン３８０ａがそれぞれ突出し、図８（ａ）（ｂ）（ｃ）および図９（ａ）（ｂ）に示すように、粘着テープロール１２上で突出形成されたピン３８０ａを備えた掃除具３００が得られる。
【００７９】
なお、上記掃除具３００は、把持部１４に連結する軸心部１４ａを被覆するようにブレード３８０が挿入され、把持部１４の連結部１４ｃと接続される後面端部３０２に固定される。
【００８０】
さらに、上記ブレード３８０は粘着テープロール１２に挿入され、上記後面端部３０２が粘着テープロール１２の端部１２ｂ内部に嵌合するようになされている。
【００８１】
そして、上記のように構成された掃除具３００は、軸部３０６とブレード３８０と粘着テープロール１２と把持部１４とが、粘着テープロール１２の端部１２ｃ側より前面端部３０４により固定される。
【００８２】
以上の構成において、掃除具３００は、掃除具１０、掃除具１００および掃除具３００と同様に、清掃対象物の表面に付着したゴミを容易に取り除くことができる。
【００８３】
以上において説明したように、本発明の掃除具によれば、絨毯などの清掃対象物表面に付着したゴミを取る際に、粘着テープロール上に配置されたブラシ部やブレードのピンなどにより清掃対象物の繊維を掘り起こして、繊維などに絡みついたゴミを掻き出すことが可能であるため、従来の掃除具よりも容易に粘着テープロールでゴミを捕集することが可能になる。
【００８４】
なお、上記した各実施の形態は、以下の（１）乃至（７）に示すように変形することができるものである。
【００８５】
（１）上記した実施の形態においては、ブラシ１８について軸１８ｃの全周に植毛したブラシ１８を用いたが、ブラシはこれに限られるものではないことは勿論であり、例えば、粘着テープロールが有する孔または切り欠き部の位置に相当する部分のみに植毛したブラシを用いてもよいものである。
【００８６】
（２）上記した実施の形態においては、清掃対象物からゴミを掻き出す部材としてブラシおよびブレードを用いたが、これに限られるものではないことは勿論であり、例えば、シリコンなどの材料で構成された面状体などを加工して用いてもよいものである。
【００８７】
（３）上記した実施の形態においては、孔１２ａとして直径５ｍｍの孔としたが、これに限られるものではないことは勿論であり、例えば、楕円などの形状にしてもよいものである。
【００８８】
（４）上記した実施の形態においては、粘着テープロール１２０の切り欠き部１２０ａを６つ配列したが、これに限られるものではないことは勿論であり、１つ以上あればよいものである。
【００８９】
（５）上記した実施の形態においては、ブラシ部およびブレードのピンの長さが均一の長さであるものとしたが、これに限られるものではないことは勿論であり、例えば、場所によってブラシ部およびブレードのピンの長さを変えてもよいものである。
【００９０】
（６）上記した実施の形態においては、ブレード３８０のピンを孔１２ａより１本ずつ突出させたが、これに限られるものではないことは勿論であり、同一の孔より複数のピンを突出させてもよいものである。
【００９１】
（７）上記した実施の形態ならびに上記した（１）乃至（６）に示す変形例は、適宜に組み合わせるようにしてもよい。
【産業上の利用可能性】
【００９２】
本発明は、絨毯などの細かいゴミが入り込みやすい清掃面を清掃する際に利用して好適である。
【符号の説明】
【００９３】
１０、１００、２００、３００      掃除具
１２、１２０      粘着テープロール
１４      把持部
１８      ブラシ
２８０、３８０    ブレード
【図１】
2015156987.tif 000003
【図２】
2015156987.tif 000004
【図３】
2015156987.tif 000005
【図４】
2015156987.tif 000006
【図５】
2015156987.tif 000007
【図６】
2015156987.tif 000008
【図７】
2015156987.tif 000009
【図８】
2015156987.tif 000010
【図９】
2015156987.tif 000011